(57)【要約】  電子機器に関し、電子部品を比較的軽量な取付金具で比較的狭い収容部に収納させることを目的とし、開口をもつ収容部を有する筐体と、収容部に収容される電子部品と、電子部品の第１側面に固定され、その電子部品を筐体内に固定する取付部品と、上記開口を着脱自在に塞ぎ、収容部に収容された状態における電子部品の上記開口側を向いた面の、上記第１側面から離れた側の第２側面近傍を押圧する弾性片を有するカバー部品とを有する。
2011067844.tif 000002
【特許請求の範囲】
【請求項１】
電子機器において、
開口をもつ収容部を有する筐体と、
前記収容部に収容される電子部品と、
前記電子部品に固定され、該電子部品の第１側面を前記筐体内に固定する取付部品と、
前記開口を着脱自在に塞ぎ、前記収容部に収容された状態における前記電子部品の該開口側を向いた面の、前記第１側面から離れた側の第２側面近傍を押圧する弾性片を有するカバー部品とを有することを特徴とする電子機器。
【請求項２】
前記取付部品は、前記電子部品の第１側面に沿って延びることを特徴とする請求項１記載の電子機器。
【請求項３】
前記カバー部品は、当該電子機器の外面を形成する板部品と、該板部品の内面に固定された金属板とを有し、前記弾性片は、該金属板の一部からなることを特徴とする請求項１又は２記載の電子機器。
【請求項４】
前記電子部品は、第１コネクタを有し、
前記筐体は、前記電子部品が前記収容部に収容されたときに前記第１コネクタと組み合う第２コネクタを搭載した基板を収容していることを特徴とする請求項１から３のうちのいずれか１項記載の電子機器。
【請求項５】
前記電子部品は機械的な可動部を有し機械的な動作を伴って情報をアクセスする記憶装置であることを特徴とする請求項１から４のうちのいずれか１項記載の電子機器。
【請求項６】
前記取付部品は、前記筐体へのネジ止め用の穴を有し、
前記筐体は、前記取付部品のネジ止めを受けるネジ穴を有し、
前記取付部品は、前記筐体にネジ止めにより固定されていることを特徴とする請求項１から５のうちのいずれか１項記載の電子機器。
【請求項７】
前記筐体が、演算処理を実行する電子回路を収容し上面にキーボードを備えた筐体であって、さらに、画像を表示する表示画面を有し前記筐体に開閉自在にヒンジ接続された第２筐体を有することを特徴とする請求項１から６のうちのいずれか１項記載の電子機器。
【発明の詳細な説明】
【技術分野】
【０００１】
本件は電子機器に関する。
【背景技術】
【０００２】
従来より、例えばノート型パーソナルコンピュータ（以下、「ノートＰＣ」と略記する）等の可搬型電子機器では、機器の小型化、軽量化が望まれている。このため、機器の筐体内部には、多数の電子部品が余分な隙き間もないほどに密に搭載されている。そのような電子機器の中には、例えばノートＰＣに代表されるように、ＨＤＤ（ハードディスクドライブ）などの大型の電子部品を搭載したものがある。ノートＰＣおよびＨＤＤを例に挙げると、ノートＰＣにＨＤＤを搭載するにあたっては、ＨＤＤの両側に、あるいはＨＤＤの両側に跨ぐように取付金具を取り付け、ＨＤＤを筐体内の収容部に収容させて両側の取付金具を筐体にネジ止めする構造が採用される。このＨＤＤは機械的な可動部を有し機械的な動作を伴って情報をアクセスする記憶装置であり、機械的な動作を伴うことから寿命が比較的短かい。このため、このＨＤＤを筐体内の収容部に収容させるにあたっては、その収容部に開口を形成しその開口からＨＤＤを収容部に収容させ、その開口を蓋で閉じる構成を採用することが多い。このＨＤＤ等の大型の電子部品は、寸法が大きいだけでなく重量もあり、このため取付金具も頑丈な大型で重い金具が採用され、機器の大型化、大重量化を招く一因となっている。
【先行技術文献】
【特許文献】
【０００３】
【特許文献１】特開２００７−３２８５３１号公報
【発明の概要】
【発明が解決しようとする課題】
【０００４】
本件開示の電子機器の課題は、電子部品を比較的軽量な取付金具で比較的狭い収容部に収容させることにある。
【課題を解決するための手段】
【０００５】
本件開示の電子機器は、筐体と、電子部品と、取付部品と、カバー部品とを有する。【０００６】
筐体は、開口をもつ収容部を有する。【０００７】
電子部品は、筐体の収容部に収容される。【０００８】
取付部品は、上記電子部品に固定され、その電子部品の第１側面を筐体内に固定する。【０００９】
カバー部品は、上記開口を着脱自在に塞ぎ、上記収容部に収容された状態における電子部品の、上記開口側を向いた面の、上記第１側面から離れた側の第２側面近傍を押圧する弾性片を有する。
【発明の効果】
【００１０】
本件開示の電子機器によれば、取付部品は電子部品の第１側面側のみでよく、第２側面側の取付部品は不要であり、その分、装置の小型化、軽量化に寄与する。
【図面の簡単な説明】
【００１１】
【図１】本件の電子機器の一例としてのノートＰＣの、開状態の斜視図である。
【図２】図１に示すノートＰＣの左側面を示す、開状態の斜視図である。
【図３】図１に示すノートＰＣの右側面を示す、開状態の斜視図である。
【図４】図１〜図３に開状態を示すノートＰＣの、閉状態の斜視図である。
【図５】図１〜図４に示すノートＰＣが閉状態にあるときの、本体ユニットの底面を示した斜視図である。
【図６】本体ユニット底面の分解斜視図である。
【図７】ＨＤＤが収容される収容部を塞ぐ蓋の内面を示した図である。
【図８】ＨＤＤを、本体ユニットの底面側を向く面を上にして示した斜視図である。
【図９】ＨＤＤの、本体ユニットの上面側を向く面を上にして示した斜視図である。
【図１０】本体ユニットの収容部に収容された、コネクタ結合前の状態のＨＤＤを示した図である。
【図１１】ＨＤＤの最終の収納状態を示した図である。
【図１２】ＨＤＤを収容する収容部を塞ぐ蓋と、さらに、メモリ基板収容部を塞ぐ蓋との双方を取り外した状態を示した図である。
【図１３】ＨＤＤを収容する収容部を塞ぐ蓋と、さらに、メモリ基板収容部を塞ぐ蓋との双方を取り外した状態を示した図である。
【図１４】図１３に示す状態からさらにメモリ基板を抜き取った状態を示した図である。
【図１５】本体ユニット筐体内に広がる基板を示した図である。
【図１６】本体ユニット底面図である。
【図１７】図１６に示す矢印Ａ−Ａに沿う本体ユニットの断面図である。
【図１８】図１等に示すノートＰＣ１０の本体ユニット上面の一部を示した拡大斜視図である。
【図１９】本体ユニットの筐体を構成する上カバーの内面を示した斜視図である。
【図２０】その上カバーの一部分の拡大斜視図である。
【図２１】センサ基板のセンサ面を示した図である。
【発明を実施するための形態】
【００１２】
以下、ノートＰＣの一例を挙げて本件の実施形態を説明する。
【００１３】
図１は、本件の電子機器の一例としてのノートＰＣの、開状態の斜視図である。また図２，図３は、図１に示すノートＰＣの、それぞれ左側面および右側面を示す、開状態の斜視図である。さらに、図４は、図１〜図３に開状態を示すノートＰＣの、閉状態の斜視図である。
【００１４】
このノートＰＣ１０は、本体ユニット２０と表示ユニット５０とを有する。表示ユニット５０は、本体ユニット２０にヒンジ接続され、図１〜図３に示す開状態と図４に示す閉状態との間で開閉する。
【００１５】
このノートＰＣ１０の本体ユニット２０の筐体２１は、上面カバー２１１と底面カバー２１２とを有する。この本体ユニット２０の上面には、電源ボタン２２、複数のインジケータランプ２３、キーボード２４、タッチパッド２５、左右２つの押ボタン２６、複数のインジケータランプ２７が配置されている。このタッチパッド２５を指でなぞると、後述する表示ユニット５０の表示画面上のカーソルが、タッチパッド２５上の指の動きに応じた方向に移動する。左右２つの押ボタン２６は、汎用的なポインティングデバイスであるマウスの左右の押ボタンに相当するものである。
【００１６】
また、この本体ユニット２０の筐体２１の上面カバー２１１の上面１２には、タッチパッド２５の右隣りに窪み部２８が形成されている。この窪み部２８は、上面側からの平面視において円形であってその円形の中央側ほど大きく底面側に窪んだ曲面、例えば典型的には球の一部を成す曲面で形成されている。この窪み部２８に指を置いてその外形に沿って円形軌跡を描くように指でなぞると、表示画面上に表示されている画像が、そのなぞる方向に応じて、上又は下にスクロールする。
【００１７】
また、ノートＰＣ１０の本体ユニット２０の前端面には、メモリカード挿入用のカードスロット２９や、不図示のスピーカ放音口や、不図示のマイクロホン／ヘッドホンの差込ジャックが配置されている。
【００１８】
また、このノートＰＣ１０の本体ユニット２０左側面には、図２に示すように、底面カバー２１２に、セキュリティロック穴３１および吸気口３２が形成され、さらに、底面カバー２１２に設けられた各開口内に、２つのＵＳＢコネクタ３３、ミニＵＳＢコネクタ３４が配置されている。
【００１９】
また、このノートＰＣ１０の本体ユニット２０の右側面には、図３に示すように、ＵＳＢコネクタ３５、底面カバー２１２に設けられた排気口３６、ＬＡＮコネクタ３７、ＣＲＴ用コネクタ３８、およびＤＣ電源ジャック３９が配置されている。
【００２０】
また、表示ユニット５０は、筐体５１を構成する枠状の前カバー５１１から、ＬＣＤ（液晶表示装置）５２の表示画面５２１があらわれている。そのＬＣＤ５２の背面は、筐体５１を構成する後カバー５１２（図４参照）で覆われている。なお、ＬＣＤは表示モジュールの一例であって、他種別のＰＤＰ（プラズマディスプレイユニット）などでもよく、その種別は問われるものではない。
【００２１】
また、本体ユニット２０に設けられる、各種インジケータランプ、各種コネクタおよび開口の個数、種類、形状およびその設置位置は本実施形態に限られるものではなく、電子機器に対する仕様要求に応じて適宜変更される。
【００２２】
（ＨＤＤ固定構造）
図５は、図１〜図４に示すノートＰＣが閉状態にあるときの、本体ユニットの底面を示した斜視図である。また図６は、本体ユニット底面の分解斜視図である。
【００２３】
図６に示すように、本体ユニット２０内には、ＨＤＤ６０が収容される収容部４１が設けられており、その本体ユニット２０の筐体２１を構成する底面カバー２１２には、その収容部４１を底面側に開放する開口２１４が設けられている。図５には、本体ユニット２０の底面に、その開口２１４を塞ぐ蓋２１３があらわれており、図６では、その蓋２１３とＨＤＤ６０が分解された状態が示されている。
【００２４】
ＨＤＤ６０には、左右の両側面のうちの一方の側面に沿って延びる取付金具６１が固定されている。ＨＤＤ６０は、この取付金具６１を介して筐体２１内に固定される。詳細は後述する。
【００２５】
また、本体ユニット２０の底面カバー２１２には、メモリ基板収容部の開口が形成されており、図５，図６にはその開口を塞ぐ蓋２１５も示されている。
【００２６】
図７は、ＨＤＤが収容される収容部を塞ぐ蓋の内面を示した図である。
【００２７】
この蓋体２１３は、底面カバー２１２（図５，図６参照）とともに本体ユニット２０の底面を形成する板状の本体２１３ａと、その本体２１３ａの内面に固定された金属板２１３ｂとを有する。この金属板２１３ｂは、本体ユニット２０の内部の回路のシールドの一翼を担っている。また、この金属板２１３ｂの一部は、基板２１３ａの内面から離れる方向に折り曲げられ、ＨＤＤ６０を押圧する弾性片２１３ｃが形成されている。
【００２８】
図８は、ＨＤＤを、本体ユニット２０の底面側を向く面を上にして示した斜視図である。また図９は、ＨＤＤの、本体ユニット２０の上面側を向く面を上にして示した斜視図である。
【００２９】
ＨＤＤ６０の、本体ユニット２０の上面側を向く面（図９に示す面）には、このＨＤＤ６０用の制御基板６２が広がっている。その制御基板６２には、丸穴６２１が設けられており、その丸穴６２１からモータの底面６０１が覗いている。このモータは、このＨＤＤ６０に内蔵されている円盤状の記憶媒体であるハードディスク（ＨＤ）を回転させるモータである。このように、このＨＤＤ６０は、機械的な可動部を有し、機械的な動作を伴って情報をアクセスする記憶装置である。
【００３０】
また、このＨＤＤ６０には、図９に示すように、その前端に、このＨＤＤ６０と外部との間でデータを送受信したり外部から電力の供給を受けるためのコネクタ６３が設けられている。
【００３１】
また、図８に示すように、このＨＤＤ６０には、その両側面のうちの一方の側面である第１側面のその長さ方向に沿って前後に延びる取付金具６１が、そのＨＤＤ６０の第１側面にネジ止めされている。この取付金具６１には、ＨＤＤ６０の前端側の一箇所に、本体ユニット２０の収容部４１（図６参照）に収納された状態のＨＤＤ６０を本体ユニット２０にネジ止め固定するための固定穴６１１が１つ設けられている。ＨＤＤ６０は、この一箇所だけで本体ユニット２０内にネジ止めされる。
【００３２】
図１０は、本体ユニットの収容部に収容された、コネクタ結合前の状態のＨＤＤを示した図である。また図１１は、ＨＤＤの最終の収納状態を示した図である。
【００３３】
ＨＤＤ６０は、収容部４１内に図１０に示すように収容され、その後、ＨＤＤ６０の前端のコネクタ６３がメイン基板上のコネクタ７１と組み合うように前方（メイン基板上のコネクタ７１の方向）にスライドされる。すると、双方のコネクタ６３，７１が組み合い、さらに取付金具６１の固定穴６１１が、本体ユニット２０の筐体２１に固定された部材に設けられたボス７２の中央に形成されたネジ穴７２１と重なる。その状態でそれらの固定穴６１１とネジ穴７２１を使って、取付金具６１が、図１１に示すようにネジ止め固定される。
【００３４】
図１２，図１３は、ＨＤＤを収容する収容部を塞ぐ蓋と、さらに、メモリ基板収容部を塞ぐ蓋との双方を取り外した状態を示した図である。ただし、図１２はＨＤＤが収容された状態、図１３は、さらにＨＤＤを取り外した状態を示している。
【００３５】
これらの図１２，図１３に示すように、メモリ基板収容部４２の開口２１６を塞ぐ蓋２１５（図６，図１０，図１１参照）を取り外すと、メモリ基板７３が収容されたメモリ基板収容部４２があらわれる。このメモリ基板７３にはメモリチップが搭載されており、必要に応じて記憶容量の異なるメモリチップが搭載されたメモリ基板に差し替えることができる。
【００３６】
また、図１３に示すように、ＨＤＤを収容する収容部４１には、ＨＤＤの図９に示す側の面を受けるゴム板４１１が配置されており、ＨＤＤへの振動の伝達を緩和している。
【００３７】
図１４は、図１３に示す状態からさらにメモリ基板を抜き取った状態を示した図である。さらに、図１５は、本体ユニットの筐体内に広がる基板を示した図である。この図１５は、図１４に示す状態の本体ユニット筐体を裏返しにして元々の上面を上にし、本体ユニット筐体の上面カバーおよびキーボードを取り外してその奥にある基板を示したものである。
【００３８】
図１３に示すメモリ基板７３は、メイン基板７０と重なるように配置されており、メモリ基板７０を取り去ると、その裏にメイン基板の一部が見える。このメイン基板７０は、図１５に示すように、本体ユニット筐体内に広く広がっている。このメイン基板７０は、ＣＰＵ等、演算処理や表示画面５２１（図１参照）への画像表示の制御を行なう回路要素が搭載されている。このメイン基板７０には、ＨＤＤを収容する収容部４１に突き出すように配置されたコネクタ７１が搭載されている。このコネクタ７１は、図１０等に示すようにＨＤＤ６０のコネクタ６３と組み合うコネクタである。
【００３９】
またメイン基板７０には、２つのスイッチ７９が搭載されている。これらの各スイッチ７９は、図１等に示す２つの押ボタン２６それぞれの押下操作を受けてオンとなるスイッチである。各スイッチ７９により、各押ボタン２６の押下操作が検出される。
【００４０】
図１６は、本体ユニット底面図、図１７は、図１６に示す矢印Ａ−Ａに沿う本体ユニットの断面図である。
【００４１】
本体ユニット２０に設けられた収容部４１内にＨＤＤ６０が収容され、その第１側面に沿う取付金具６１が本体ユニット２０内でネジ止めされる（図１０，図１１参照）。
【００４２】
また、底面カバー２１２に設けられた、その収容部４１の開口２１４を着脱自在に塞ぐ蓋２１３の内面には、金属板２１３ｂ（図７参照）が固定されており、その金属板２１３ｂの一部が内側に折り曲げられて弾性片２１３ｃが形成されている。ＨＤＤ６０は、その弾性片２１３ｃにより、そのＨＤＤ６０の、開口２１４側を向けた面の、取付金具６１を介してネジ止めされた第１側面から離れた側の第２側面の近傍が押圧される。これにより、ＨＤＤ６０の第２側面側は、収容部４１に置かれたゴム板４１１と弾性片２１３ｃとに挟まれた状態となる。
【００４３】
このように、本実施形態では、ＨＤＤ６０の第１側面と第２側面とのうちの第１側面のみ取付金具６１を介して固定されている。第２側面側は、取付金具は用いずに、蓋２１３の内面に本来的に設けられるシールドのための金属板２１３ｂを折り曲げて弾性片２１３ｃとし、その弾性片２１３ｃで押圧することによりＨＤＤ６０を収容部４１内に安定的に保持させている。取付金具６１は第１側面側のみであるため、その分、収容部４１を小さくでき、また、組立工数も削減でき、さらにノートＰＣ１０の全体の軽量化にも寄与する。
【００４４】
本実施形態において、取付金具５１は、ＨＤＤ６０の第１側面の側面に沿って延びる構造であるが、第１側面の前端部および後端部にそれぞれ取り付けられＨＤＤ６０の第１側面を固定する２つの部品構成としてもよい。この場合、各部品は、個別に本体ユニット２０に固定される構成とすればよい。
【００４５】
本実施形態におけるゴム板４１１は、図１４のように小片ではなく、ＨＤＤ６０の第２側面のその長さ方向に沿って前後に延びる第２側面と略一致する長さであってもよい。また、ゴム板４１１は、収容部４１の全面を覆うシートに替えてもよい。
【００４６】
また、本実施形態は、固定対象となる電子部品としてＨＤＤを例示したが、ＳＳＤ（Ｓｏｌｉｄ  Ｓｔａｔｅ  Ｄｒｉｖｅ）等の他種別の電子部品を対象にしてもよい。
【００４７】
（スクロールパッド構造）
図１８は、図１等に示すノートＰＣ１０の本体ユニット上面の一部を示した拡大斜視図である。
【００４８】
図１等を参照しながら前述した通り、本体ユニット２０の上面手前側には、タッチパッド２５、左右２つの押ボタン２６が設けられている。また、この本体ユニット２０の筐体２１を構成する上カバー２１１の上面には、タッチパッド２５の右隣りに、上面側からの平面視において円形であって、その円形の中央側ほど大きく底面側に窪んだ、球の一部分の形状からなる窪み部２８が形成されている。
【００４９】
この窪み部２８は、表示画面５２１（図１参照）に表示された画像のスクロール用の操作子として使用される。
【００５０】
図１９は、本体ユニットの筐体を構成する上カバーの内面を示した斜視図である。
【００５１】
また、図２０は、その上カバーの一部分の拡大斜視図である。
【００５２】
上カバー２１２の内面には、キーボード２４の支持と内部回路のシールドとを兼ねた金属板２１７が広がっている。また、この上カバー２１２の内面にはセンサ基板８０が固定されている。このセンサ基板８０は、タッチパッド２５と窪み部２８（図１８参照）が設けられた領域に跨る広さを有し、タッチパッド２５と窪み部２８との双方の裏面に広がっている。
【００５３】
また、ここには、図１８に示す左右２つの押ボタン２６の内面もあらわれている。これら各押ボタン２６の裏面には、突起２６１が設けられている。各押ボタン２６が押下操作されると、それらの各突起２６１により、メイン基板７０に搭載された各スイッチ７９（図１５参照）が押され、各押ボタン２６が押下操作されたことが検出される。
【００５４】
図２１は、センサ基板のセンサ面を示した図である。
【００５５】
このセンサ面は、センサ基板８０の、図１９，図２０に示す面に対する裏面である。このセンサ面には多数の静電センサが配列されている。第１の領域８０１は、二次元的に配列された矩形の複数の静電センサを有する。また、第２の領域８０２は、円形に配列された複数の静電センサを有する。
【００５６】
このセンサ基板８０は、図２１のセンサ面を上（上カバー内面）に向けて、タッチパッド２５の裏面に領域８０１、窪み部２８の裏面に領域８０２が位置するように、上カバー２１１の内面に固定される。タッチパッド２５あるいは窪み部２８に指を接触又は接近させると、センサ基板８０では、その接触又は接近による静電容量の変化が検出される。
【００５７】
センサ基板８０では、領域８０１の静電センサにより、タッチパッド２５を指で任意の方向になぞったときの、そのなぞった方向が検出される。さらに、このセンサ基板８０では、領域８０２の静電センサにより、窪み部２８を指で円形軌跡を描いてなぞったときの、そのなぞった方向を検出する。
【００５８】
センサ基板８０は、フラットケーブル８１（図１９，２０参照）を介してメイン基板７０（図１５参照）と接続される。センサ基板８０での検出結果は、そのフラットケーブル８０を経由してメイン基板７０に伝達される。メイン基板７０は、表示ユニット５０の表示画面５２１への画像やカーソルの表示制御を担う制御部の役割りも担っている。メイン基板７０では、センサ基板８０での検出結果に基づき、表示画面５２１上の画像やカーソルを制御する。具体的には、このメイン基板７０は、タッチパッド２５がなぞられたときは表示画面５２１上のカーソルをタッチパッド２５上の指の動きに応じた方向に移動させる。また、このメイン基板７０は、窪み部２８が円形軌跡を描くようになぞられたときは、表示画面５２１上の画像を、なぞった円形軌跡の方向に応じた方向にスクロールする。
【００５９】
上記の窪み部２８は、上述した通り、球の一部にようになだらかに窪んだ形状を有するため、指で円形軌跡を描くように操作する際の操作性が向上する。また、デザイン上も優れた形状となっている。
【００６０】
本実施形態において、窪み部２８はタッチパッド２５の右隣りに形成されているが、タッチパッド２５の左隣りや他の位置などキーボード操作の妨げにならない位置に形成するようにすればよい。
【００６１】
ここでは、ノートＰＣを例に挙げて説明したが、本件はノートＰＣに限らず、様々な電子機器に広く適用することができる。
【符号の説明】
【００６２】
１０    ノートＰＣ
２０    本体ユニット
２１，５１    筐体
２４    キーボード
２５    タッチパッド
２６    押ボタン
２８    窪み部
３６    排気口
４１    収容部
５０    表示ユニット
５２    ＬＣＤ（液晶表示装置）
６０    ＨＤＤ
６１    取付金具
６２    制御基板
６３，７１    コネクタ
７０    メイン基板
７２    ボス
７３    メモリ基板
７９    スイッチ
８０    センサ基板
８１    フラットケーブル
２１１    上カバー
２１２    底面カバー
２１３    蓋
２１３ａ    基板
２１３ｂ    金属板
２１３ｃ    弾性片
２１４    開口
２６１    突起
４１１    ゴム板
５１２    後カバー
５２１    表示画面
６１１    固定穴
７２１    ネジ穴
【図１】
2011067844.tif 000003
【図２】
2011067844.tif 000004
【図３】
2011067844.tif 000005
【図４】
2011067844.tif 000006
【図５】
2011067844.tif 000007
【図６】
2011067844.tif 000008
【図７】
2011067844.tif 000009
【図８】
2011067844.tif 000010
【図９】
2011067844.tif 000011
【図１０】
2011067844.tif 000012
【図１１】
2011067844.tif 000013
【図１２】
2011067844.tif 000014
【図１３】
2011067844.tif 000015
【図１４】
2011067844.tif 000016
【図１５】
2011067844.tif 000017
【図１６】
2011067844.tif 000018
【図１７】
2011067844.tif 000019
【図１８】
2011067844.tif 000020
【図１９】
2011067844.tif 000021
【図２０】
2011067844.tif 000022
【図２１】
2011067844.tif 000023
【国際調査報告】
2011067844.tif 000024
2011067844.tif 000025
2011067844.tif 000026